(57)【特許請求の範囲】
【請求項１】
ユーザが普段使うコンピュータ端末（ホーム端末）を含む複数のコンピュータ端末からなるコンピュータネットワークシステムにおいて、セキュリティチェックシステムと連動し、該セキュリティチェックシステムでセキュリティチェックに使用される携帯型ＩＤカードの入力が検知された時点で、前記携帯型ＩＤカードに記録されたユーザのホーム端末から初期設定ファイルやアプリケーション起動履歴等の個人情報を記録したファイルおよび前記ユーザが良く使うアプリケーションプログラムを同時にダウンロードしてキャッシングし、前記ユーザが任意のコンピュータ端末にログインすると、前記キャッシングした初期設定ファイルやアプリケーション起動履歴等の個人情報を記録したファイルおよび前記ユーザが良く使うアプリケーションプログラムにより、前記ログインしたコンピュータ端末上に前記ホーム端末と同様のデスクトップ環境を実現することを特徴とするコンピュータネットワークシステム。
【請求項２】
ユーザが普段使うコンピュータ端末（ホーム端末）を含む複数のコンピュータ端末からなるコンピュータネットワークシステムにおいて、セキュリティチェックシステムと連動し、該セキュリティチェックシステムでセキュリティチェックに使用される会議室等のＩＤ及びパスワードの入力が検知された時点で、前記会議室等のＩＤ及びパスワードに対応するユーザのホーム端末から初期設定ファイルやアプリケーション起動履歴等の個人情報を記録したファイルおよび前記ユーザが良く使うアプリケーションプログラムを同時にダウンロードしてキャッシングし、前記ユーザが任意のコンピュータ端末にログインすると、前記キャッシングした初期設定ファイルやアプリケーション起動履歴等の個人情報を記録したファイルおよび前記ユーザが良く使うアプリケーションプログラムにより、前記ログインしたコンピュータ端末上に前記ホーム端末と同様のデスクトップ環境を実現することを特徴とするコンピュータネットワークシステム。
【発明の詳細な説明】
【０００１】
【発明の属する技術分野】
本発明は、コンピュータネットワークシステム、より詳細には、複数のコンピュータ間をネットワークで結合したコンピュータネットワークシステムに関する。
【０００２】
【従来の技術】
コンピュータネットワークの発展に伴い、ユーザは各自のデスクトップ上のコンピュータのみならず、会議室や外出先でもコンピュータを使用するようになってきている。しかしながら、自分専用のコンピュータ（ホーム端末）とは環境が違うため、使いたいアプリケーションソフトが外出先のコンピュータにはインストールされていないなど、効率の良い作業を行うには支障があった。
【０００３】
上記問題を解決するために、アプリケーションソフトをファイルサーバに置き、どこからでも参照できるようにする方法が、従来から知られている。例えば、特開平７−３０６８３１号公報に開示されたコンピュータネットワークシステムは、ユーザが簡便にホストコンピュータにログオンし、自己の端末環境設定データファイル、あるいは、これに加えて書類，画像，音声などのデータファイルを取得することにより、ユーザのコンピュータネットワーク環境使用の利便性，高速性を実現するというもので、ユーザが所望のコンピュータにアクセスするための手段として、ユーザが携帯するＩＣカードを用い、ＩＣカードにホストコンピュータ、あるいは、ユーザ自身の端末などの特定のコンピュータにアクセスするための個人ＩＤ情報，個人パスワード，アクセスするホスト情報，ログオンプログラム等を内蔵し、前記個人情報，ホスト情報、ならびにログオンプログラムを各コンピュータ端末が確認するために、各コンピュータ端末に前記ＩＣカード内のデータを読み取るためのデータリーダを付属するというものである。
【０００４】
【発明が解決しようとする課題】
しかし、上記従来技術によるネットワークシステムでは、ネットワークによる遅延のため、利便性，高速性において、快適とは言えない状況にある。また、アプリケーションソフトの存在の問題だけでなく、コンピュータのデスクトップの初期状態等も作業の効率に影響する。
【０００５】
本発明は、上述のような実情を考慮してなされたもので、外出先等のコンピュータを使用する場合であっても、自分専用のコンピュータを使用している時と同様の環境を構築するコンピュータネットワークシステムを提供することを目的としてなされたものである。
【０００６】
【課題を解決するための手段】
請求項１の発明は、ユーザが普段使うコンピュータ端末（ホーム端末）を含む複数のコンピュータ端末からなるコンピュータネットワークシステムにおいて、セキュリティチェックシステムと連動し、該セキュリティチェックシステムでセキュリティチェックに使用される携帯型ＩＤカードの入力が検知された時点で、前記携帯型ＩＤカードに記録されたユーザのホーム端末から初期設定ファイルやアプリケーション起動履歴等の個人情報を記録したファイルおよび前記ユーザが良く使うアプリケーションプログラムを同時にダウンロードしてキャッシングし、前記ユーザが任意のコンピュータ端末にログインすると、前記キャッシングした初期設定ファイルやアプリケーション起動履歴等の個人情報を記録したファイルおよび前記ユーザが良く使うアプリケーションプログラムにより、前記ログインしたコンピュータ端末に前記ホーム端末と同様のデスクトップ環境を実現することを特徴としたものである。
【０００７】
請求項２の発明は、ユーザが普段使うコンピュータ端末（ホーム端末）を含む複数のコンピュータ端末からなるコンピュータネットワークシステムにおいて、セキュリティチェックシステムと連動し、該セキュリティチェックシステムでセキュリティチェックに使用される会議室等のＩＤ及びパスワードの入力が検知された時点で、前記会議室等のＩＤ及びパスワードに対応するユーザのホーム端末から初期設定ファイルやアプリケーション起動履歴等の個人情報を記録したファイルおよび前記ユーザが良く使うアプリケーションプログラムを同時にダウンロードしてキャッシングし、前記ユーザが任意のコンピュータ端末にログインすると、前記キャッシングした初期設定ファイルやアプリケーション起動履歴等の個人情報を記録したファイルおよび前記ユーザが良く使うアプリケーションプログラムにより、前記ログインしたコンピュータ端末上に前記ホーム端末と同様のデスクトップ環境を実現することを特徴としたものである。
【００１１】
【発明の実施の形態】
図１は、コンピュータネットワークシステムを説明するための要部構成図で、図中、１はホーム端末、２はネットワーク、３は使用端末、４は記憶装置である。この例では、ユーザが使用端末３にログインすると、ネットワーク２を介してホーム端末１から初期設定ファイルを使用端末３にダウンロードするようにしたものである。
【００１２】
さらに、ユーザが使用端末３にログインすると、ネットワーク２を介してホーム端末１から初期設定ファイルに加えてアプリケーションプログラムをダウンロードし、記憶装置４にキャッシングすることにより、アプリケーション起動の短縮を図るようにしたものである。
【００１３】
初期設定ファイルに従って使用端末３のデスクトップをカスタマイズし、アプリケーションプログラムは記憶装置４に格納する。もちろん、記憶装置４は使用端末３に内蔵のものであってもよい。
【００１４】
図２は、本発明によるコンピュータネットワークシステムの実施例を説明するための要部構成図で、図中、５は会議室、６は出入口、７はカードリーダで、その他、図１と同じ作用をする部分には、図１と同じ符号が付してある。
【００１５】
この実施例は、所在検知システムと連動し、ユーザの使用端末３へのログインに先立ち、ユーザが会議室５等の使用端末３のある場所に入った時点で、使用端末３に初期設定ファイルやアプリケーションプログラムをダウンロードし、ログイン時のネットワーク２による遅延を回避して高速化を図るようにしたものである。
【００１６】
この実施例では、ユーザが会議室５に入室するために、出入口６付近に設けられたカードリーダ７にＩＤカードを通した時に、ユーザの使用端末３へのログインに先立って、初期設定ファイルやアプリケーションプログラムをダウンロードし始めるようにしたものである。
【００１７】
図３は、本発明によるコンピュータネットワークシステムの他の実施例を説明するための要部構成図で、図中、６は出入口、８はセキュリティ装置である。この実施例は、図３に示したように、図２に示した実施例のカードリーダ７に代えて所在検知システムとして使用されるセキュリティチェック装置８を用いたものである。
【００１８】
【発明の効果】
本発明によると、ユーザが、自分の使いなれた自分のコンピュータ環境と同等の環境で会議室等の共有コンピュータを使用することができる。
【００１９】
また、前記初期設定ファイルと共に前記ログインしたユーザが良く使うアプリケーションプログラムを同時にダウンロードしてキャッシングすることにより、アプリケーションの起動を短縮したので、アプリケーションプログラムのダウンロード時に起こるネットワークによる遅延を回避し、アプリケーションの高速起動を行うことができる。
【００２０】
また、所在検知システムと連動し、該所在検知システムにより検知された時点で前記初期設定ファイルやアプリケーションプログラムをダウンロードし、ログイン時のネットワークによる遅延を回避して高速化したので、ログイン時の環境設定処理やアプリケーションプログラムの起動のさらなる高速化が可能である。
【００２１】
また、セキュリティチェックに使用される社員証などの携帯型ＩＤカードを用いたシステムを利用すると、ユーザの使用端末へダウンロードが行われ、これにより、ログイン時の環境設定処理やアプリケーションプログラムの起動のさらなる高速化が可能である。
【００２２】
また、会議室等のＩＤ及びパスワードを用いた入室用セキュリティチェック機構を用いたシステムを利用すると、ユーザの使用端末へダウンロードが行われ、これにより、ログイン時の環境設定処理やアプリケーションプログラムの起動のさらなる高速化が可能である。
【図面の簡単な説明】
【図１】  コンピュータネットワークシステムを説明するための要部構成図である。
【図２】  本発明によるコンピュータネットワークシステムの実施例を説明するための要部構成図である。
【図３】  本発明によるコンピュータネットワークシステムの他の実施例を説明するための要部構成図である。
【符号の説明】
１…ホーム端末、２…ネットワーク、３…使用端末、４…記憶装置、５…会議室、６…出入口、７…カードリーダ、８…セキュリティ装置。
【図１】
0003830262.tif 000002
【図２】
0003830262.tif 000003
【図３】
0003830262.tif 000004